(57)【要約】【課題】人手により目で商品を確認しながら自動販売機の特定の棚にセットしていくことになるので、間違った商品を棚にセットしてしまうということが起こりうる。【解決手段】本発明の自動販売機は、商品の価格ごとに区切られた棚５と、棚５ごとに設置されて、商品１０に添付された無線ＩＣタグ１１の情報を読み取る読取手段２と、読取手段２から情報を受け解析および制御を行う制御手段３と、制御手段３に制御され報知を行う報知手段４とを具備し、無線ＩＣタグ１１の情報に含まれた価格に関する情報が棚に設定されている価格に関する情報と異なると判断した場合、報知手段４より報知するので、使用者の勘違いやミスによって、価格の異なる商品が混入することを避けることが出来る。【選択図】図１
2006221222.tif 000002
【特許請求の範囲】
【請求項１】
商品の価格ごとに区切られた棚と、前記棚ごとに設置されて、商品に添付された無線ＩＣタグの情報を読み取る読取手段と、前記読取手段から情報を受け解析および制御を行う制御手段と、前記制御手段に制御され報知を行う報知手段とを具備し、前記制御手段は前記無線ＩＣタグの情報に含まれた商品の価格に関する情報が前記棚に設定されている価格に関する情報と異なると判断した場合、前記報知手段より報知することを特徴とする自動販売機。
【請求項２】
商品の価格ごとに区切られた棚と、前記棚ごとに設置されて、商品に添付された無線ＩＣタグの情報を読み取る読取手段と、前記読取手段から情報を受け解析および制御を行う制御手段と、前記制御手段に制御され報知を行う報知手段とを具備し、前記制御手段は前記無線ＩＣタグからの情報に基づいてネットワーク経由で情報サーバに蓄積された第２の情報を取得し、前記第２の情報に含まれた商品の価格に関する情報が前記棚に設定されている価格に関する情報と異なると判断した場合、前記報知手段より報知することを特徴とする自動販売機。
【請求項３】
電磁波遮断材で棚を構成したことを特徴とする請求項１または請求項２記載の自動販売機。
【請求項４】
商品の出し入れのためのドアと、前記ドアの開閉を検知して開閉状態を読取手段に伝える開閉スイッチとを具備して、前記ドアが開いている時にだけ読取手段を動作させることを特徴とする請求項１または請求項２記載の自動販売機。
【請求項５】
商品の出し入れのための棚開口部直近に読取手段を設置したことを特徴とする請求項１または請求項２記載の自動販売機。
【請求項６】
近接する他の棚まで通信距離が達しない読取手段を設置したことを特徴とする請求項１または請求項２記載の自動販売機。
【請求項７】
請求項１、２または４のいずれか記載の自動販売機において少なくともひとつの機能をコンピュータに実行させるためのプログラム。
【発明の詳細な説明】
【技術分野】
【０００１】
本発明は、無線ＩＣタグを利用した自動販売機、および、そのプログラムに関するものである。
【背景技術】
【０００２】
自動販売機は街のいたるところに設置されており、最近では売上高情報について、ネットワークを介して把握できる高度な自動販売機も考案されている（例えば特許文献１を参照）。また一方で、流通革命を目指して無線ＩＣタグが商品に添付されつつあり、商品には無線ＩＣタグが添付されているのが当たり前という状況に近づきつつある。
【特許文献１】特開２００３−１９６７１５号公報
【発明の開示】
【発明が解決しようとする課題】
【０００３】
しかしながら、高度な機能を有した自動販売機でも現時点では最も基本的な課題を抱えており、例えば調理パンのような価格ごとに自動販売機に商品をセットしていく場合、人手により目で商品を確認しながら特定の棚にセットしていくことになるので、間違った商品を棚にセットしてしまうということが起こりうる。
【０００４】
このようなミスをすると、消費者にとっては本来の価格と異なる商品を買わされることになるので不愉快極まるものであるし、売り手にとっても価格の異なる商品を間違えて売ってしまうと経済的ダメージも受けることになる。
【課題を解決するための手段】
【０００５】
そこで、前記の課題を解決するために、自動販売機に商品の価格ごとに区切られた棚と、前記棚ごとに設置されて、商品に添付された無線ＩＣタグの情報を読み取る読取手段と、前記読取手段から情報を受け解析および制御を行う制御手段と、前記制御手段に制御され報知を行う報知手段とを具備し、前記無線ＩＣタグの情報に含まれた商品の価格に関する情報が前記棚に設定されている価格に関する情報と異なると判断した場合、前記報知手段より報知するようにした。
【発明の効果】
【０００６】
これにより、例えば調理パンのような商品を、価格ごとに自動販売機にセットしていく場合、間違った商品をセットしようとするとその時点で報知手段から報知されるので、うっかりと間違って異なる商品をセットしてしまうということを防ぐことが期待できる。その結果、消費者にとっては本来の価格と異なる商品を買わされることはなくなり、売り手にとっても価格の異なる商品を間違えて売ってしまうという経済的ダメージも回避できる。
【発明を実施するための最良の形態】
【０００７】
第１の発明は、自動販売機において、商品の価格ごとに区切られた棚と、前記棚ごとに設置されて、商品に添付された無線ＩＣタグの情報を読み取る読取手段と、前記読取手段から情報を受け解析および制御を行う制御手段と、前記制御手段に制御され報知を行う報知手段とを具備し、前記制御手段は前記無線ＩＣタグの情報に含まれた商品の価格に関する情報が前記棚に設定されている価格に関する情報と異なると判断した場合、前記報知手段より報知するようにした。
【０００８】
これにより、例えば調理パンのような商品を、価格ごとに自動販売機にセットしていく場合、間違った商品をセットしようとすると報知手段から報知されるので、うっかりと間違って異なる商品をセットしてしまうということを防ぐことが期待できる。その結果、消費者にとっては本来の価格と異なる商品を買わされることはなくなり、売り手にとっても価格の異なる商品を間違えて売ってしまうという経済的ダメージも回避できる。
【０００９】
第２の発明は、自動販売機において、商品の価格ごとに区切られた棚と、前記棚ごとに設置されて、商品に添付された無線ＩＣタグの情報を読み取る読取手段と、前記読取手段から情報を受け解析および制御を行う制御手段と、前記制御手段に制御され報知を行う報知手段とを具備し、前記制御手段は前記無線ＩＣタグからの情報に基づいてネットワーク経由で情報サーバに蓄積された第２の情報を取得し、前記第２の情報に含まれた商品の価格に関する情報が前記棚に設定されている価格に関する情報と異なると判断した場合、前記報知手段より報知するようにした。
【００１０】
これにより、無線ＩＣタグの情報に商品の価格に関する情報が含まれておらず、単なるコード番号のような情報しか含まれない場合でも、この情報（コード番号）を元にネットワーク上の情報サーバにアクセスして、商品の価格に関する情報を含む第２の情報を取得するので、第１の発明と同様の効果を得ることが出来る。
【００１１】
第３の発明は、特に第１または第２の発明の自動販売機において、電磁波遮断材で棚を構成した。
【００１２】
これにより、棚ごとに電磁的に分離できるので、読取手段が例えば隣の棚から異なる価格の商品に添付された無線ＩＣタグの情報を間違って読み出してしまうというようなトラブルを回避することが出来る。
【００１３】
第４の発明は、特に第１または第２の発明の自動販売機において、商品の出し入れのためのドアと、前記ドアの開閉を検知して開閉状態を読取手段に伝える開閉スイッチとを具備して、前記ドアが開いている時にだけ読取手段を動作させるようにした。
【００１４】
これにより、必要な時にだけ確実に読取手段が動作して、セットしようとしている商品に添付された無線ＩＣタグから安定して情報を読み出すことが期待できると共に、不要な時に読取手段を動作させないので省エネルギーにも貢献する。
【００１５】
第５の発明は、特に第１または第２の発明の自動販売機において、商品の出し入れのための棚の開口部直近に読取手段を設置した。
【００１６】
これにより、商品をセットしようとすると必ず通過する商品の出し入れのための棚の開口部直近を無線ＩＣタグが通過して読取手段から捕捉されるため、より確実に無線ＩＣタグの情報を読み取ることが出来る。
【００１７】
第６の発明は、特に第１または第２の発明の自動販売機において、近接する他の棚まで通信距離が達しない読取手段を設置するようにした。
【００１８】
これにより、特別な電磁波遮断対策をしなくても近接する棚に置かれた別の商品の無線ＩＣタグを誤って読み取ってしまうことがなくなり、シンプルな構成になる。
【００１９】
第７の発明は、第１、２または第４の発明の自動販売機において、少なくともひとつの機能をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の少なくとも一部をプログラムとして容易に実現することができる。また記録媒体に記録あるいは、通信回線を用いてプログラム配信することにより、プログラム配布が他の手段に比べて極めて簡単に実現できる。
【００２０】
以下、本発明の実施の形態について、図面を用いて一実施形態について詳細に説明する。なお、この実施の形態によって本発明が限定されるものではない。
【００２１】
（実施の形態１）
図１は本発明の自動販売機の構成一例を示す図である。
【００２２】
自動販売機１には、読取手段２ａ、２ｂ、制御手段３、報知手段４、棚５、ドア６、開閉スイッチ７を具備している。
【００２３】
開閉スイッチ７は、商品の出し入れのためのドア６に連動して、前記ドアの開閉を検知して開閉状態を読取手段２ａ、２ｂに伝える。読取手段２ａ、２ｂは、開閉情報を元にドア６が開いている時にだけ読取動作を行うようにした。すなわち、必要な時にだけ確実に読取手段２ａ、２ｂが動作して、セットしようとしている商品に添付された無線ＩＣタグ１１ａ、１１ｂから安定して情報を読み出し、不要な時には読取手段２ａ、２ｂを動作させないようにした。もちろん読取手段２ａ、２ｂだけではなく制御手段３、または報知手段４もドア６が開いている時にだけ動作させるようにしても構わない。
【００２４】
読取手段２ａ、２ｂの取り付け位置は、商品１０ａ、１０ｂの出し入れのための棚の開口部直近に設置する。つまり、商品１０ａ、１０ｂの出し入れには必ず読取手段２ａ、２ｂの直近を通過する位置に読取手段２ａ、２ｂを設置することで、確実に無線ＩＣタ具１１ａ、１１ｂの情報を読み出すことになる。
【００２５】
棚５は電磁波を遮断する材質（例えば金属）で構成されており、図では便宜上、上段の棚と下段の棚に分かれて記述している。当然ながらこれは一例であってどのような配置で棚を分けても構わないが、それぞれの棚同士を電磁波遮断物質で構成して、お互いが電磁的に孤立していることが望ましい。
【００２６】
図においても、上段の棚と下段の棚を仕切る材質は電磁波を遮断する材質で構成されており、上段の棚と下段の棚は、それぞれ電磁的に仕切られており、それぞれの棚に読取手段２ａ、２ｂが取り付けられている。
【００２７】
このように読取手段２ａ、２ｂは電磁的には完全に孤立しているので、お互い干渉することもなく、それぞれの棚に存在する商品１０ａ、１０ｂに添付された無線ＩＣタグ１１ａ、１１ｂを読取手段２ａ、２ｂが、それぞれ別個に読み出すことが出来る。すなわち、図において商品１０ａに添付された無線ＩＣタグ１１ａは読取手段２ａだけによって読み取られ、読取手段２ｂから読み取られることはない。逆に商品１０ｂに添付された無線ＩＣタグ１１ｂは読取手段２ｂだけによって読み取られ、読取手段２ａから読み取られることはない。
【００２８】
読取手段２ａ、２ｂによって読み取られた無線ＩＣタグの情報には、商品の価格に関する情報を含んでいる。
【００２９】
一方、制御手段３は読取手段２ａと読取手段２ｂを区別するために、制御手段３には複数の入力インターフェイスを設けて、それぞれの入力インターフェイスから個別に読取手段２ａ、または読取手段２ｂの情報を受け取るようにした。
【００３０】
このようにして制御手段３は、どの情報がどちらの読取手段から届いたものかを判定することが出来る。制御手段３はどの棚にはどんな価格の商品がセットされるべきであるかを予め内部で記憶しており、それとは異なる価格の商品を検知した場合には報知手段４を制御して音、音声、光、振動、文字、絵柄などで報知して使用者に間違いを気づかせる。
【００３１】
また、読取手段２ａ、２ｂによって読み取られた無線ＩＣタグの情報に、商品の価格に関する情報を含んでおらず、単なるＩＤのようなコード番号だけを含んでいる場合には、そのＩＤを元に商品の価格に関する情報を取得する必要がある。すなわち、コード番号を元に制御手段３がネットワーク２０を経由して、ネットワーク２０に接続されている情報サーバ３０にアクセスして、ＩＤに相当する商品の価格に関する情報（第２の情報）を取得する。この結果、上記と同様の動作を行って使用者に報知する。
【００３２】
ここで述べているネットワーク２０はインターネットであって情報サーバ３０は外部にあっても構わないし、ネットワーク２０は家庭内ＬＡＮであって情報サーバ３０も家庭内にあっても構わないし、ネットワーク２０を含めたすべてが自動販売機１に存在して自動販売機だけで閉じていても、もちろん構わない。
【００３３】
現時点で市販されている無線ＩＣタグおよび読取手段には数メートル以上の距離まで対応した遠距離タイプと、数センチ〜１０数センチ程度の距離にしか対応していない近接型が存在する。特に近接型を用いた場合には、棚５の一部に開口部があっても、そこから漏れ出した電磁波は隣の棚にまで達することがないように設置することも可能であって、特別な電磁波もれの対策をしなくても棚同士を電磁的に遮断することになるので、近接型を用いることは好ましい。
【００３４】
なお、遠距離タイプを用いた場合は、隣の棚はもちろんのこと、商品１０ａ、１０ｂ以外のものに添付された、例えば作業者のポケット内にある調理パンなど関係のない無線ＩＣタグの情報を読み取ってしまうことが想定されるので、こういったタイプは本用途には必ずしも向いているとは言えない。が、しかし、近接する棚にまでは電磁波が届かないようにアンテナサイズを変えたりして感度を調整して、関係のない無線ＩＣタグを読み取らないようにしても構わない。
【００３５】
また読み出し方法としては、商品１０ａ、１０ｂを棚にセットしていく過程で、自動販売機１に具備された読取手段２で順に、あるいは一括で無線ＩＣタグ１１ａ、１１ｂの情報を読み取る。一括で読み取れるのはすべての無線ＩＣタグ１１ａ、１１ｂ、および読取手段２ａ、２ｂが衝突検出に対応している場合である。衝突検出に対応していない場合は、商品を１つごとに自動販売機１に具備された読取手段２ａ、２ｂに読ませる必要がある。
【００３６】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【産業上の利用可能性】
【００３７】
以上のように、本発明にかかる自動販売機およびそのプログラムは、商品の価格ごとに区切られた棚と、前記棚ごとに設置されて、商品に添付された無線ＩＣタグの情報を読み取る読取手段と、前記読取手段から情報を受け解析および制御を行う制御手段と、前記制御手段に制御され報知を行う報知手段とを具備し、前記無線ＩＣタグの情報に含まれた価格に関する情報が前記棚に設定されている価格に関する情報と異なると判断した場合、前記報知手段より報知するようにして、使用者の勘違いやミスによって、誤った商品が混入することを避けることが出来る。自動販売機のほかに売店の商品陳列棚などに利用できる。
【図面の簡単な説明】
【００３８】
【図１】本発明の実施の形態１の自動販売機の構成一例を示す図
【符号の説明】
【００３９】
１  自動販売機
２ａ、２ｂ  読取手段
３  制御手段
４  報知手段
５  棚
６  ドア
７  開閉スイッチ
１０ａ、１０ｂ  商品
１１ａ、１１ｂ  無線ＩＣタグ
２０  ネットワーク
３０  情報サーバ
【図１】
2006221222.tif 000003